(57)【要約】【課題】トナーカートリッジと現像器とが相対移動する場合であっても、トナーカートリッジと現像器との間のトナー漏れを抑制することのできる画像形成装置、および、ドラムカートリッジを提供すること。【解決手段】  画像形成装置１は、感光ドラム１７と、現像器２４と、トナー供給口１２４を有するトナーカートリッジ１５とを備え、現像器２４は、現像ローラ２５を支持する現像フレーム６２と、トナーを現像フレーム６２に搬送するための搬送部６３と、を有し、搬送部６３は、現像フレーム６２に接続された搬送管７５と、トナーカートリッジ１５に連結された状態でトナー供給口１２４に向かい合うトナー受入口８７を有する連結筒７６とを備え、搬送管７５は、連結筒７６がトナーカートリッジ１５に対して連結され、トナー受入口８７がトナー供給口１２４と向かい合った状態で、連結筒７６に対して移動可能である。【選択図】図７
2017072704.tif 000002
【特許請求の範囲】
【請求項１】
感光ドラムと、
前記感光ドラムと接触するように構成される現像ローラを有する現像器と、
トナー供給口を有するトナーカートリッジと、を備え、
前記現像器は、
前記現像ローラを支持する現像フレームと、
前記トナーカートリッジ内のトナーを前記現像フレームに搬送するための搬送部と、を有し、
前記搬送部は、
前記現像フレームに対して固定される搬送管と、
前記トナーカートリッジに対して連結可能な連結筒であって、前記連結筒が前記トナーカートリッジに連結された状態で前記トナー供給口に向かい合うトナー受入口を有する連結筒と、
前記連結筒に設けられるシャッタであって、前記連結筒が前記トナーカートリッジに対して連結された状態で前記トナー受入口を開放する開放位置と、前記連結筒の前記トナーカートリッジに対する連結が解除された状態で前記トナー受入口を閉鎖する閉鎖位置と、の間を移動可能なシャッタと、を備え、
前記搬送管は、前記連結筒が前記トナーカートリッジに対して連結され、前記トナー受入口が前記トナー供給口と向かい合った状態で、前記連結筒に対して移動可能であることを特徴とする、画像形成装置。
【請求項２】
前記感光ドラムと、前記現像器とを支持するフレームを有し、
前記フレームは、前記現像ローラを前記感光ドラムに向けて押圧するためのばねであって、前記搬送管の移動方向に前記現像フレームを押圧するばねを備えることを特徴とする、請求項１に記載の画像形成装置。
【請求項３】
前記フレームは、前記現像フレームをガイドする第１ガイドであって、前記ばねが前記現像フレームを押圧する押圧方向に延びる第１ガイドを有することを特徴とする、請求項２に記載の画像形成装置。
【請求項４】
前記感光ドラムに接触している前記現像ローラを、前記感光ドラムから離間させるための離間部材を有し、
前記離間部材は、前記現像ローラを離間させるときに、前記現像フレームを、前記搬送管の移動方向に移動させることを特徴とする、請求項１〜３のいずれか一項に記載の画像形成装置。
【請求項５】
前記搬送部は、前記搬送管と前記連結筒との間に配置され、変形可能な緩衝部材を備えていることを特徴とする、請求項１〜４のいずれか一項に記載の画像形成装置。
【請求項６】
前記緩衝部材は、前記搬送管の移動方向に変形可能であることを特徴とする、請求項５に記載の画像形成装置。
【請求項７】
前記緩衝部材は、前記搬送管と前記連結筒との間をシールすることを特徴とする、請求項５または６に記載の画像形成装置。
【請求項８】
前記緩衝部材は、ウレタンフォームであることを特徴とする、請求項５〜７のいずれか一項に記載の画像形成装置。
【請求項９】
前記搬送管は、前記緩衝部材が接着される第１接着面を備えていることを特徴とする、請求項５〜８のいずれか一項に記載の画像形成装置。
【請求項１０】
前記第１接着面は、前記搬送管の移動方向と略直交する方向に延びることを特徴とする、請求項９に記載の画像形成装置。
【請求項１１】
前記連結筒は、前記緩衝部材が接着される第２接着面を備えていることを特徴とする、請求項５〜１０のいずれか一項に記載の画像形成装置。
【請求項１２】
前記第２接着面は、前記搬送管の移動方向と略直交する方向に延びることを特徴とする、請求項１１に記載の画像形成装置。
【請求項１３】
前記連結筒は、前記搬送管の移動方向に延びる略円筒形状を有していることを特徴とする、請求項１〜１２のいずれか一項に記載の画像形成装置。
【請求項１４】
前記搬送部は、トナーを前記現像ローラに向けて搬送するように構成される搬送部材を備え、
前記搬送部材は、少なくとも一部が前記連結筒の内部に配置されていることを特徴とする、請求項１〜１３のいずれか一項に記載の画像形成装置。
【請求項１５】
前記搬送部材は、コイルばねであることを特徴とする、請求項１４に記載の画像形成装置。
【請求項１６】
前記搬送部材は、
前記搬送管に支持される第１端部と、
前記第１端部と反対側であり、前記連結筒に支持される第２端部とを備えていることを特徴とする、請求項１４または１５に記載の画像形成装置。
【請求項１７】
前記トナーカートリッジは、前記連結筒を受け入れる受入部を備え、
前記受入部は、第１接触面を備え、
前記連結筒は、前記第１接触面と接触する第２接触面を備えていることを特徴とする、請求項１〜１６のいずれか一項に記載の画像形成装置。
【請求項１８】
前記第１接触面は、前記搬送管の移動方向と略直交する方向に延びることを特徴とする、請求項１７に記載の画像形成装置。
【請求項１９】
前記第２接触面は、前記搬送管の移動方向と略直交する方向に延びることを特徴とする、請求項１８に記載の画像形成装置。
【請求項２０】
前記連結筒は、前記搬送管の移動方向において、前記第２接触面から前記トナーカートリッジに向けて延びる凸部を有し、
前記受入部は、前記凸部を受け入れる凹部を有し、
前記凸部は、その先端部において、前記搬送管の移動方向と略直交する方向に延びる第１突出部を備え、
前記凹部は、前記凸部を受け入れた状態で、前記搬送管の移動方向において、前記第１突出部よりも前記現像フレーム側に配置され、前記第１突出部と向かい合う第２突出部を備えている
ことを特徴とする、請求項１７〜１９のいずれか一項に記載の画像形成装置。
【請求項２１】
前記トナーカートリッジが装着されるフレームを備えていることを特徴とする、請求項１〜２０のいずれか一項に記載の画像形成装置。
【請求項２２】
前記フレームは、固定穴を備え、
前記トナーカートリッジは、前記固定穴に嵌まる固定部を備えていることを特徴とする、請求項２１に記載の画像形成装置。
【請求項２３】
前記固定部は、前記搬送管が移動したときに前記フレームの前記固定穴の内周面と接触するように構成された固定面であって、前記搬送管の移動方向と略直交する方向に延びる固定面を有することを特徴とする、請求項２２に記載の画像形成装置。
【請求項２４】
前記フレームは、前記現像器と前記トナーカートリッジとの間に配置される隔壁を備え、
前記隔壁は、前記連結筒が挿通可能な挿通穴を備えていることを特徴とする、請求項２１〜２３のいずれか一項に記載の画像形成装置。
【請求項２５】
前記フレームは、前記トナーカートリッジの着脱をガイドする第２ガイドであって、前記搬送管の移動方向に延びる第２ガイドを備えていることを特徴とする、請求項２１〜２４のいずれか一項に記載の画像形成装置。
【請求項２６】
前記搬送管の移動方向は、前記感光ドラムと前記現像ローラとの並び方向と略同じ方向であることを特徴とする、請求項１〜２５のいずれか一項に記載の画像形成装置。
【請求項２７】
トナー供給口を有するトナーカートリッジが装着されるドラムユニットであって、
感光ドラムと、
前記感光ドラムと接触するように構成される現像ローラを有する現像器と、を備え、
前記現像器は、
前記現像ローラを支持する現像フレームと、
前記トナーカートリッジ内のトナーを前記現像フレームに搬送するための搬送部と、を有し、
前記搬送部は、
前記現像フレームに接続される搬送管と、
前記トナーカートリッジに対して連結可能な連結筒であって、前記連結筒が前記トナーカートリッジに連結された状態で前記トナー供給口に向かい合うトナー受入口を有する連結筒と、
前記連結筒に設けられるシャッタであって、前記連結筒が前記トナーカートリッジに対して連結された状態で前記トナー受入口を開放する開放位置と、前記連結筒の前記トナーカートリッジに対する連結が解除された状態で前記トナー受入口を閉鎖する閉鎖位置と、の間を移動可能なシャッタと、を備え、
前記搬送管は、前記連結筒が前記トナーカートリッジに対して連結され、前記トナー受入口が前記トナー供給口と向かい合った状態で、前記連結筒に対して移動可能であることを特徴とする、ドラムユニット。
【発明の詳細な説明】
【技術分野】
【０００１】
本発明は、電子写真方式が採用される画像形成装置、および、その画像形成装置に装着されるドラムカートリッジに関する。
【背景技術】
【０００２】
電子写真方式の画像形成装置として、感光体ドラムと、現像ローラを有する現像装置と、トナーが収容されるトナーカートリッジとを備える画像形成装置が知られている。
【０００３】
このような画像形成装置として、トナーカートリッジの供給口と、現像装置の被供給口とを向かい合わせて、トナーカートリッジ内のトナーを現像装置に供給する画像形成装置が知られている（例えば、特許文献１参照）。
【０００４】
そして、この画像形成装置では、感光体ドラムに対して現像装置を揺動させている。
【先行技術文献】
【特許文献】
【０００５】
【特許文献１】特開２００９−１５１２８０号公報
【発明の概要】
【発明が解決しようとする課題】
【０００６】
しかるに、上記した特許文献１に記載の画像形成装置では、現像装置は、感光体ドラムに対してだけでなく、トナーカートリッジに対しても、揺動する。そのため、トナーカートリッジの供給口に対して、現像装置の被供給口の位置がずれる場合があり、トナー漏れの原因となる。
【０００７】
また、トナーカートリッジの供給口と現像装置の被供給口との位置がずれないように、トナーカートリッジを現像装置とともに揺動させることが検討されるが、トナーカートリッジのトナー容量が多い場合には、トナーカートリッジを現像装置とともに揺動させるのは困難である。
【０００８】
そこで、本発明の目的は、トナーカートリッジと現像器とが相対移動する場合であっても、トナーカートリッジと現像器との間のトナー漏れを抑制することのできる画像形成装置、および、ドラムカートリッジを提供することにある。
【課題を解決するための手段】
【０００９】
本発明の画像形成装置は、感光ドラムと、感光ドラムと接触するように構成される現像ローラを有する現像器と、トナー供給口を有するトナーカートリッジと、を備え、現像器は、現像ローラを支持する現像フレームと、トナーカートリッジ内のトナーを現像フレームに搬送するための搬送部と、を有し、搬送部は、現像フレームに対して固定される搬送管と、トナーカートリッジに対して連結可能な連結筒であって、連結筒がトナーカートリッジに連結された状態でトナー供給口に向かい合うトナー受入口を有する連結筒と、連結筒に設けられるシャッタであって、連結筒がトナーカートリッジに対して連結された状態でトナー受入口を開放する開放位置と、連結筒のトナーカートリッジに対する連結が解除された状態でトナー受入口を閉鎖する閉鎖位置と、の間を移動可能なシャッタと、を備え、搬送管は、連結筒がトナーカートリッジに対して連結され、トナー受入口がトナー供給口と向かい合った状態で、連結筒に対して移動可能である。
【００１０】
本発明のドラムユニットは、トナー供給口を有するトナーカートリッジが装着されるドラムユニットであって、感光ドラムと、感光ドラムと接触するように構成される現像ローラを有する現像器と、を備え、現像器は、現像ローラを支持する現像フレームと、トナーカートリッジ内のトナーを現像フレームに搬送するための搬送部と、を有し、搬送部は、現像フレームに接続される搬送管と、トナーカートリッジに対して連結可能な連結筒であって、連結筒がトナーカートリッジに連結された状態でトナー供給口に向かい合うトナー受入口を有する連結筒と、連結筒に設けられるシャッタであって、連結筒がトナーカートリッジに対して連結された状態でトナー受入口を開放する開放位置と、連結筒のトナーカートリッジに対する連結が解除された状態でトナー受入口を閉鎖する閉鎖位置と、の間を移動可能なシャッタと、を備え、搬送管は、連結筒がトナーカートリッジに対して連結され、トナー受入口がトナー供給口と向かい合った状態で、連結筒に対して移動可能である。
【発明の効果】
【００１１】
本発明の画像形成装置およびドラムカートリッジによれば、トナーカートリッジと現像器とが相対移動する場合であっても、トナーカートリッジと現像器との間のトナー漏れを抑制することができる。
【図面の簡単な説明】
【００１２】
【図１】図１は、本発明の画像形成装置の一実施形態を示す中央断面図である。
【図２】図２は、図１に示すドラムカートリッジの平面図である。
【図３】図３Ａは、図２に示すドラムカートリッジのＡ−Ａ線における断面図である。図３Ｂは、図２に示すドラムカートリッジの側面図である。
【図４】図４は、図２に示すドラムカートリッジのＢ−Ｂ線における断面図である。
【図５】図５は、図１０に示すトナーカートリッジのＣ−Ｃ線における断面図である。
【図６】図６は、図５に示すトナーカートリッジのＤ−Ｄ線における断面図である。
【図７】図７は、図３Ａに示すドラムカートリッジに対して、図６に示すトナーカートリッジが装着された状態を示す断面図である。
【図８】図８は、図１に示すプロセスカートリッジにおいて、トナーカートリッジの可動ハンドルが第１位置に位置した状態を示す。
【図９】図９は、図１に示すプロセスカートリッジにおいて、トナーカートリッジの可動ハンドルが第２位置に位置した状態を示す。
【図１０】図１０は、ドラムカートリッジに対するトナーカートリッジの着脱を説明する説明図である。
【図１１】図１１は、画像形成装置に対するプロセスカートリッジの着脱を説明する説明図である。
【発明を実施するための形態】
【００１３】
以下、画像形成装置１について説明する。以下の説明において、方向に言及するときには、図中に示す方向矢印を基準とする。
【００１４】
１．プリンタの概略
図１に示すように、画像形成装置１は、電子写真方式のモノクロプリンタである。画像形成装置１は、開口部９を有する装置本体２と、プロセスカートリッジ３と、スキャナユニット７と、定着ユニット８と、読取部３５とを備える。
【００１５】
装置本体２は、略ボックス形状を有する。装置本体２は、フロントカバー１０と、給紙トレイ１１と、排紙トレイ１２とを備える。
【００１６】
開口部９は、装置本体２の前端部に位置する。開口部９は、装置本体２の内外を連通する。開口部９は、プロセスカートリッジ３の通過を許容する。
【００１７】
フロントカバー１０は、装置本体２の前端部に位置する。フロントカバー１０は、上下方向に延びる略板状を有する。フロントカバー１０は、装置本体２の前端部に、フロントカバー１０の下端部を支点として揺動可能に支持される。フロントカバー１０は、開口部９を閉鎖する閉位置と、開口部９を開放する開位置（図１０および図１１参照）とに揺動可能である。
【００１８】
給紙トレイ１１は、装置本体２の下端部に位置する。給紙トレイ１１は、用紙Ｐを収容可能なトレイである。
【００１９】
排紙トレイ１２は、装置本体２の上面の前後方向略中央に位置する。排紙トレイ１２は、用紙Ｐが載置されるように、装置本体２の上面から下方へ凹む。
【００２０】
プロセスカートリッジ３は、装置本体２に対して着脱可能である。プロセスカートリッジ３は、装置本体２内の上下方向略中央に位置する。プロセスカートリッジ３は、給紙トレイ１１の上方かつ排紙トレイ１２の下方に位置する。プロセスカートリッジ３は、ドラムユニット１４と、トナーカートリッジ１５とを備える。
【００２１】
ドラムユニット１４は、感光ドラム１７と、転写ローラ１８と、帯電ローラ１９と、帯電ローラ１９の表面に付着した残トナーや紙粉などの付着物を除去するように構成される帯電クリーニングローラ２０と、感光ドラム１７に付着した付着物を回収し、貯留するように構成されるドラムクリーニングユニット２１と、現像器２４とを備える。
【００２２】
感光ドラム１７は、ドラムユニット１４の後端部に位置する。感光ドラム１７は、左右方向に延びる略円筒形状を有する。
【００２３】
転写ローラ１８は、感光ドラム１７の下方に位置する。転写ローラ１８は、感光ドラム１７に接触する。
【００２４】
帯電ローラ１９は、感光ドラム１７の後上方に位置する。帯電ローラ１９は、感光ドラム１７に接触する。帯電ローラ１９は、感光ドラム１７の表面を帯電するように構成される。
【００２５】
現像器２４は、感光ドラム１７の前方に位置する。現像器２４は、現像ローラ２５と、供給ローラ２６と、層厚規制ブレード２７とを備える。
【００２６】
現像ローラ２５は、現像器２４の後端部に位置する。現像ローラ２５は、感光ドラム１７の前方の周面に接触する。現像ローラ２５は、現像器２４に回転可能に支持される。つまり、現像ローラ２５と、感光ドラム１７とは、前後方向に並んでいる。
【００２７】
供給ローラ２６は、現像ローラ２５の前下方に位置する。供給ローラ２６は、現像ローラ２５の前下方の表面に接触する。供給ローラ２６は、現像器２４に回転可能に支持される。
【００２８】
層厚規制ブレード２７は、現像ローラ２５の前上方に位置する。層厚規制ブレード２７の下端部は、現像ローラ２５の前方の表面に接触する。
【００２９】
トナーカートリッジ１５は、ドラムユニット１４に着脱可能である。トナーカートリッジ１５は、現像器２４の前方に位置する。トナーカートリッジ１５は、トナーを収容可能である。詳しくは後述するが、トナーカートリッジ１５は、内部のトナーを現像器２４に供給可能である。
【００３０】
スキャナユニット７は、プロセスカートリッジ３の上方に位置する。スキャナユニット７は、感光ドラム１７に向けて画像データに基づくレーザービームＬを出射可能である。
【００３１】
定着ユニット８は、プロセスカートリッジ３の後方に位置する。定着ユニット８は、加熱ローラ３２と、加熱ローラ３２と接触する加圧ローラ３３とを備える。
【００３２】
読取部３５は、装置本体２の上方に位置する。読取部３５は、排紙トレイ１２の上方に間隔を隔てて位置する。読取部３５は、フラットベッドタイプのイメージスキャナである。読取部３５は、原稿の画像情報を読み取るように構成される。
【００３３】
２．ドラムカートリッジ
ドラムユニット１４は、図２および図３Ａに示すように、上記した感光ドラム１７および現像器２４を支持するフレーム４０を備える。
【００３４】
（１）フレーム
フレーム４０は、右方の側壁４４Ｒと、左方の側壁４４Ｌと、下壁４６と、後述するトナーカートリッジ１５の供給部１１２が挿通される挿通穴５５、および、後述する搬送部６３の連結筒７６が挿通される切欠き５６を有する隔壁４７と、ドラムハンドル４２とを備える。
【００３５】
側壁４４Ｒは、ガイド部４９と、トナーカートリッジ１５の後述する第１ロッド１６１が嵌まる固定穴５０と、感光ドラム１７が挿入される穴５８と、現像ローラ２５が挿入される第１ガイドの一例としての第１長穴５９と、供給ローラ２６が挿入される第１ガイドの一例としての第２長穴６０とを有する。
【００３６】
また、側壁４４Ｌは、側壁４４Ｒと同様に、ガイド部４９と、固定穴５０と、穴５８と、第１長穴５９と、第２長穴６０とを有する。
【００３７】
なお、ガイド部４９、固定穴５０については、側壁４４Ｒで説明するものとし、穴５８、第１長穴５９、第２長穴６０については、側壁４４Ｌで説明するものとする。
【００３８】
側壁４４Ｒは、フレーム４０の右端部に位置する。側壁４４Ｒは、上下方向および前後方向に延びる。側壁４４Ｒは、板形状を有する。
【００３９】
ガイド部４９は、側壁４４Ｒの前端部に位置する。ガイド部４９は、側壁４４Ｒの左右方向内面から、左右方向外方に向かって窪む。ガイド部４９は、第１溝５１と、第２ガイドの一例としての第２溝５２とを備える。
【００４０】
第１溝５１は、図３Ａに示すように、側壁４４Ｒの前上端部から後下方に向かって延びる。第１溝５１は、後下方に向かうにつれて、溝幅が小さくなる。第１溝５１は、側面視略三角形状を有する。
【００４１】
第２溝５２は、第１溝５１の後下端部と連続する。第２溝５２は、第１溝５１の後下端部から、後方に向かって延びる。詳しくは、第２溝５２は、第１溝５１の後下端部から、後方に向かって湾曲する湾曲部分と、湾曲部分の後端部から、後方に向かって延びる直線部分とを有する。第２溝５２の直線部分は、後述する搬送管７５の移動方向に沿って延びる。
【００４２】
固定穴５０は、図２および図３Ａに示すように、第１溝５１の後方、かつ、第２溝５２の前端部の上方に位置する。固定穴５０は、側壁４４Ｒの左右方向内面から左右方向外方に向かって窪む。固定穴５０は、側面視円形状を有する。
【００４３】
側壁４４Ｌは、図２および図３Ｂに示すように、フレーム４０の左端部に位置する。側壁４４Ｌは、上下方向および前後方向に延びる。側壁４４Ｌは、板形状を有する。
【００４４】
穴５８は、左右方向から見て、ドラムクリーニングユニット２１の前方に位置する。穴５８は、側壁４４Ｌを左右方向に貫通する。穴５８は、側面視円形状を有する。
【００４５】
第１長穴５９は、穴５８の前方に位置する。第１長穴５９は、側壁４４Ｌを左右方向に貫通する。第１長穴５９は、前後方向に延びる長穴形状を有する。
【００４６】
第２長穴６０は、第１長穴５９の前下方に位置する。第２長穴６０は、側壁４４Ｌを左右方向に貫通する。第２長穴６０は、前後方向に延びる長穴形状を有する。
【００４７】
下壁４６は、図２および図３Ａに示すように、フレーム４０の下端部に位置する。下壁４６は、側壁４４Ｒの下端部と側壁４４Ｌの下端部との間に位置する。下壁４６は、左右方向および前後方向に延びる。下壁４６は、板形状を有する。下壁４６は、２つのばね６１を備える。
【００４８】
２つのばね６１は、下壁４６の前後方向略中央に位置する。２つのばね６１は、現像器２４の前方に位置する。２つのばね６１は、左右方向に間隔を隔てて位置する。ばね６１は、コイルばねである。ばね６１の基端は、下壁４６に固定される。ばね６１の自由端は、上方に向かって延びる。
【００４９】
隔壁４７は、左右方向から見て、側壁４４Ｒおよび側壁４４Ｌの第２溝５２の後方に位置する。隔壁４７は、現像器２４と、第２溝５２との間に位置する。隔壁４７は、下壁４６の前後方向略中央から、上方に向かって延びる。隔壁４７は、側壁４４Ｒと側壁４４Ｌとの間に位置する。隔壁４７は、上方に向かうにつれて、前方に向かって湾曲する。隔壁４７は、第２溝５２の後端部を中心とする略円弧形状を有する。
【００５０】
挿通穴５５は、隔壁４７の上方部分に位置する。挿通穴５５は、隔壁４７を前後方向に貫通する。挿通穴５５は、左右方向に延びる。挿通穴５５は、正面視略矩形状を有する。
【００５１】
切欠き５６は、図２および図４に示すように、挿通穴５５の右下方に位置する。切欠き５６は、挿通穴５５の右下端部から、下方に向かって切り欠かれる。切欠き５６は、正面視略矩形状を有する。
【００５２】
また、詳しくは後述するが、トナーカートリッジ１５は、フレーム４０において、隔壁４７よりも前方に装着される。このように、フレーム４０において、隔壁４７、下壁４６の前方部分、側壁４４Ｒおよび側壁４４Ｌの前方部分によって画定される部分が、トナーカートリッジ装着部５７である。すなわち、ガイド部４９、および、固定穴５０は、トナーカートリッジ装着部５７に備えられる。
【００５３】
ドラムハンドル４２は、ドラムユニット１４の前端部に位置する。ドラムハンドル４２は、下端部を支点として、前上方に延びるように起立する起立位置と、起立位置から前方に倒れた図示しない傾倒位置との間を回動可能である。ドラムハンドル４２は、図示しない付勢部材により、常には、起立位置に向かって付勢される。
【００５４】
（２）感光ドラム
感光ドラム１７は、ドラム本体１７Ａと、ドラム軸１７Ｂとを備える。
【００５５】
ドラム本体１７Ａは、感光ドラム１７の径方向において、感光ドラム１７の外周部分に位置する。ドラム本体１７Ａは、左右方向に延びる。ドラム本体１７Ａは、左右方向両端部が閉鎖された円筒形状を有する。
【００５６】
ドラム軸１７Ｂは、感光ドラム１７の径方向において、感光ドラム１７の中央に位置する。ドラム軸１７Ｂは、左右方向に延びる。ドラム軸１７Ｂは、円柱形状を有する。ドラム軸１７Ｂの右端部は、図２に示すように、ドラム本体１７Ａの右端部よりも右方に突出する。ドラム軸１７Ｂの右端部は、側壁４４Ｒの穴５８に挿通される。これにより、ドラム軸１７Ｂの右端部は、側壁４４Ｒに回転可能に支持される。ドラム軸１７Ｂの右端部は、側壁４４Ｒよりも右方に突出する。ドラム軸１７Ｂの左端部は、ドラム本体１７Ａの左端部よりも左方に突出する。ドラム軸１７Ｂの左端部は、側壁４４Ｌの穴５８に挿通される。これにより、ドラム軸１７Ｂの左端部は、側壁４４Ｌに回転可能に支持される。ドラム軸１７Ｂの左端部は、側壁４４Ｌよりも左方に突出する。
【００５７】
（３）現像器
現像器２４は、図３Ａおよび図４に示すように、ドラムユニット１４の前後方向略中央に位置する。現像器２４は、上記した現像ローラ２５と、上記した供給ローラ２６とを支持する現像フレーム６２と、第１スクリュー２９と、第２スクリュー３０と、搬送部６３と、ギア列６４とを備える。
【００５８】
（３−１）現像フレーム
現像フレーム６２は、図２および図３Ａに示すように、第１連通口７３を有する右方の側壁６５Ｒと、左方の側壁６５Ｌと、前壁６６と、下壁６７と、上壁６８と、区画壁７０とを備える。
【００５９】
側壁６５Ｒは、現像フレーム６２の右端部に位置する。側壁６５Ｒは、上下方向および前後方向に延びる。側壁６５Ｒは、板形状を有する。
【００６０】
第１連通口７３は、図３Ａおよび図４に示すように、側壁６５Ｒの後上端部に位置する。第１連通口７３は、後述する区画壁７０よりも前方に位置する。第１連通口７３は、側壁６５Ｒを左右方向に貫通する。
【００６１】
側壁６５Ｌは、図２に示すように、現像フレーム６２の左端部に位置する。側壁６５Ｌは、上下方向および前後方向に延びる。側壁６５Ｌは、板形状を有する。
【００６２】
前壁６６は、現像フレーム６２の前端部に位置する。前壁６６は、側壁６５Ｒの前端部と側壁６５Ｌの前端部との間に位置する。下壁６７は、上下方向および左右方向に延びる。前壁６６は、板形状を有する。
【００６３】
下壁６７は、図３Ａに示すように、現像フレーム６２の下端部に位置する。下壁６７は、側壁６５Ｒの下端部と側壁６５Ｌの下端部との間に位置する。下壁６７は、前後方向および左右方向に延びる。下壁６７は、板形状を有する。下壁６７の前端部は、前壁６６の下端部に接続される。
【００６４】
上壁６８は、図２および図３Ａに示すように、現像フレーム６２の上端部に位置する。上壁６８は、側壁６５Ｒの上端部と側壁６５Ｌの上端部との間に位置する。上壁６８は、前後方向および左右方向に延びる。上壁６８の前端部は、図３Ａに示すように、前壁６６の上端部に接続される。上壁６８の後端部は、下方に向かって屈曲する。上壁６８の後端部は、層厚規制ブレード２７を支持する。
【００６５】
区画壁７０は、前壁６６の後方に位置する。区画壁７０は、側壁６５Ｒと側壁６５Ｌとの間に位置する。区画壁７０は、上壁６８の前後方向略中央から、下方に向かって延びる。区画壁７０は、板形状を有する。区画壁７０の下端部は、供給ローラ２６の前方に位置する。区画壁７０の下端部は、下壁６７の上方に間隔を隔てて位置する。
【００６６】
なお、区画壁７０は、現像フレーム６２の内部空間を、区画壁７０よりも後方の現像部３１と、区画壁７０よりも前方のトナー収容部２８とに区画する。
【００６７】
（３−２）現像ローラ
現像ローラ２５は、図２および図３Ａに示すように、現像被覆部２５Ａと、現像シャフト２５Ｂと、右方の現像カラー２５ＣＲと、左方の現像カラー２５ＣＬとを備える。
【００６８】
現像被覆部２５Ａは、現像ローラ２５の径方向において、現像ローラ２５の外周部分に位置する。現像被覆部２５Ａは、左右方向に延びる。現像被覆部２５Ａは、円筒形状を有する。
【００６９】
現像シャフト２５Ｂは、現像ローラ２５の径方向において、現像ローラ２５の中央に位置する。現像シャフト２５Ｂは、左右方向に延びる。現像シャフト２５Ｂは、円柱形状を有する。現像シャフト２５Ｂの右端部は、現像被覆部２５Ａの右端部よりも右方に突出する。現像シャフト２５Ｂの右端部は、側壁６５Ｒに回転可能に支持される。現像シャフト２５Ｂの右端部は、側壁６５Ｒよりも右方に突出する。現像シャフト２５Ｂの左端部は、現像被覆部２５Ａの左端部よりも左方に突出する。現像シャフト２５Ｂの左端部は、側壁６５Ｌに回転可能に支持される。現像シャフト２５Ｂの左端部は、側壁６５Ｌよりも左方に突出する。
【００７０】
現像カラー２５ＣＲは、図２に示すように、現像ローラ２５の右端部に位置する。現像カラー２５ＣＲは、左右方向に延びる。現像カラー２５ＣＲは、円筒形状を有する。現像カラー２５ＣＲは、現像シャフト２５Ｂの右端部に嵌まる。そして、現像カラー２５ＣＲは、側壁４４Ｒの第１長穴５９に嵌まる。現像カラー２５ＣＲは、側壁４４Ｒよりも左右方向外方に突出する。
【００７１】
現像カラー２５ＣＬは、図２および図３Ｂに示すように、現像ローラ２５の左端部に位置する。現像カラー２５ＣＬは、左右方向に延びる。現像カラー２５ＣＬは、円筒形状を有する。現像カラー２５ＣＬは、現像シャフト２５Ｂの左端部に嵌まる。そして、現像カラー２５ＣＬは、側壁４４Ｌの第１長穴５９に嵌まる。現像カラー２５ＣＬは、側壁４４Ｌよりも左右方向外方に突出する。
【００７２】
（３−３）供給ローラ
供給ローラ２６は、図２および図３Ａに示すように、供給被覆部２６Ａと、供給シャフト２６Ｂと、右方の供給カラー２６ＣＲと、左方の供給カラー２６ＣＬとを備える。
【００７３】
供給被覆部２６Ａは、供給ローラ２６の径方向において、供給ローラ２６の外周部分に位置する。供給被覆部２６Ａは、左右方向に延びる。供給被覆部２６Ａは、円筒形状を有する。
【００７４】
供給シャフト２６Ｂは、供給ローラ２６の径方向において、供給ローラ２６の中央に位置する。供給シャフト２６Ｂは、左右方向に延びる。供給シャフト２６Ｂは、円柱形状を有する。供給シャフト２６Ｂの右端部は、供給被覆部２６Ａの右端部よりも右方に突出する。供給シャフト２６Ｂの右端部は、側壁６５Ｒに回転可能に支持される。供給シャフト２６Ｂの右端部は、側壁６５Ｒよりも右方に突出する。供給シャフト２６Ｂの左端部は、供給被覆部２６Ａの左端部よりも左方に突出する。供給シャフト２６Ｂの左端部は、側壁６５Ｌに回転可能に支持される。供給シャフト２６Ｂの左端部は、側壁６５Ｌよりも左方に突出する。
【００７５】
供給カラー２６ＣＲは、図２に示すように、供給ローラ２６の右端部に位置する。供給カラー２６ＣＲは、左右方向に延びる。供給カラー２６ＣＲは、円筒形状を有する。供給カラー２６ＣＲは、供給シャフト２６Ｂの右端部に嵌まる。そして、供給カラー２６ＣＲは、側壁４４Ｒの第２長穴６０に嵌まる。供給カラー２６ＣＲは、側壁４４Ｒよりも左右方向外方に突出する。
【００７６】
供給カラー２６ＣＬは、図２および図３Ｂに示すように、供給ローラ２６の左端部に位置する。供給カラー２６ＣＬは、左右方向に延びる。供給カラー２６ＣＬは、円筒形状を有する。供給カラー２６ＣＬは、供給シャフト２６Ｂの左端部に嵌まる。そして、供給カラー２６ＣＬは、側壁４４Ｌの第２長穴６０に嵌まる。供給カラー２６ＣＬは、側壁４４Ｌよりも左右方向外方に突出する。
【００７７】
（３−４）第１スクリューおよび第２スクリュー
第１スクリュー２９は、図３Ａに示すように、現像部３１内に位置する。具体的には、第１スクリュー２９は、供給ローラ２６の上方、かつ、区画壁７０の後方に位置する。第１スクリュー２９の右端部は、側壁６５Ｒに回転可能に支持される。第１スクリュー２９の左端部は、側壁６５Ｌに回転可能に支持される。
【００７８】
第２スクリュー３０は、トナー収容部２８内に位置する。つまり、第２スクリュー３０は、区画壁７０の前方に位置する。第２スクリュー３０の右端部は、側壁６５Ｒに回転可能に支持される。第２スクリュー３０の左端部は、側壁６５Ｌに回転可能に支持される。
【００７９】
（３−５）搬送部
搬送部６３は、図２および図４に示すように、現像器２４の前右端部に位置する。搬送部６３は、第２連通口８３を有する搬送管７５と、トナー受入口８７を有する連結筒７６と、シャッタの一例としての第１シャッタ７７と、付勢部材７８と、緩衝部材７９と、カバー部材８０と、搬送部材の一例としてのコイルばね８１とを備える。
【００８０】
搬送管７５は、搬送部６３の前右端部に位置する。搬送管７５は、現像フレーム６２に対して固定される。搬送管７５は、前後方向に延びる。搬送管７５は、図４に示すように、後端部が閉鎖された円筒形状を有する。搬送管７５は、第１鍔部８４と、第１留め具８５とを備える。
【００８１】
第１鍔部８４は、搬送管７５の前端部に位置する。第１鍔部８４は、搬送管７５の前端部から、搬送管７５の径方向外方に向かって突出する。第１鍔部８４は、搬送管７５の周方向に延びる。第１鍔部８４は、板形状を有する。第１鍔部８４の前面は、第１接着面８６である。第１接着面８６は、搬送管７５の径方向に延びる。すなわち、第１接着面８６は、搬送管７５の移動方向に対して、略直交する方向に延びる。なお、略直交とは、例えば、７５°以上、好ましくは、８０°以上、さらに好ましくは、８５°以上であり、例えば、１０５°以下、好ましくは、１００°以下、さらに好ましくは、９５°以下である。具体的には、略直交は、９０°である。
【００８２】
第１留め具８５は、搬送管７５の後端部に位置する。第１留め具８５は、前後方向に延びる。第１留め具８５は、略円柱形状を有する。第１留め具８５は、搬送管７５の後端部に対して、回転可能に支持される。第１留め具８５の前端部は、搬送管７５の後壁よりも後方に突出する。
【００８３】
第２連通口８３は、搬送管７５の後端部に位置する。第２連通口８３は、搬送管７５の左方の周面を左右方向に貫通する。第２連通口８３は、側面視略矩形状を有する。第２連通口８３は、現像フレーム６２の第１連通口７３と左右方向において一致する。
【００８４】
連結筒７６は、搬送管７５の前方に間隔を隔てて位置する。連結筒７６は、前後方向、すなわち、搬送管７５の移動方向に延びる。連結筒７６は、前端部が閉鎖された略円筒形状を有する。連結筒７６の前面は、第２接触面８８である。第２接触面８８は、連結筒７６の径方向に延びる。すなわち、第２接触面８８は、搬送管７５の移動方向に対して、略直交する方向に延びる。
【００８５】
また、連結筒７６は、第２鍔部８９と、凸部９０と、第２留め具９１とを備える。
【００８６】
第２鍔部８９は、連結筒７６の後端部に位置する。第２鍔部８９は、連結筒７６の後端部から、連結筒７６の径方向外方に向かって突出する。第２鍔部８９は、連結筒７６の周方向に延びる。第２鍔部８９は、板形状を有する。第２鍔部８９の後面は、第２接着面９２である。第２接着面９２は、連結筒７６の径方向に延びる。すなわち、第２接着面９２は、搬送管７５の移動方向に対して、略直交する方向に延びる。
【００８７】
凸部９０は、連結筒７６の前端部に位置する。凸部９０は、連結筒７６の前端部から前方に向かって突出する。凸部９０は、略円柱形状を有する。凸部９０は、切欠き５６を介して、隔壁４７よりも前方に突出する。凸部９０は、第１突出部の一例としての突出部９３を備える。
【００８８】
突出部９３は、凸部９０の前端部に位置する。突出部９３は、凸部９０の周面から、凸部９０の径方向外方に向かって突出する。突出部９３は、凸部９０の周方向に延びる。突出部９３は、断面視略円弧形状を有する。
【００８９】
第２留め具９１は、突出部９３の後方に位置する。第２留め具９１は、前後方向に延びる。第２留め具９１は、略円柱形状を有する。第２留め具９１は、連結筒７６の前端部に対して、回転可能に支持される。
【００９０】
トナー受入口８７は、連結筒７６の前端部に位置する。トナー受入口８７は、連結筒７６の上方の周面を上下方向に貫通する。トナー受入口８７は、底面視略矩形状を有する。
【００９１】
第１シャッタ７７は、現像器２４の前端部に位置する。第１シャッタ７７は、連結筒７６の周面を被覆する。言い換えると、第１シャッタ７７は、連結筒７６に設けられる。第１シャッタ７７は、前後方向に延びる。第１シャッタ７７は、略円筒形状を有する。第１シャッタ７７の前後方向寸法は、連結筒７６の前後方向寸法の略半分である。第１シャッタ７７は、連結筒７６のトナー受入口８７を閉鎖する閉鎖位置（図４参照）と、閉鎖位置よりも後方に位置し、連結筒７６のトナー受入口８７を開放する開放位置（図７参照）とに移動可能である。
【００９２】
付勢部材７８は、第１シャッタ７７の後方に位置する。付勢部材７８は、連結筒７６に巻回される。付勢部材７８は、前後方向に延びるコイルばねである。付勢部材７８の前端部は、第１シャッタ７７の後端部と接触する。付勢部材７８の後端部は、第２鍔部８９の前面と接触する。付勢部材７８は、自然長の状態で、第１シャッタ７７を閉鎖位置に位置させるように構成される。
【００９３】
緩衝部材７９は、第１鍔部８４と、第２鍔部８９との間に位置する。緩衝部材７９は、ウレタンフォームである。また、緩衝部材７９は、ポリエチレンフォームやゴムスポンジに代替することができる。緩衝部材７９は、変形可能である。緩衝部材７９は、略円環形状を有する。緩衝部材７９の後面は、第１鍔部８４の第１接着面８６に接着される。緩衝部材７９の前面は、第２鍔部８９の第２接着面９２に接着される。これにより、緩衝部材７９は、搬送管７５と連結筒７６との間をシールする。なお、緩衝部材７９は、第１鍔部８４と第２鍔部８９との間において、前後方向に圧縮された状態で保持される。
【００９４】
カバー部材８０は、緩衝部材７９の径方向外方に位置する。カバー部材８０は、前後方向に延びる。カバー部材８０は、略円筒形状を有する。カバー部材８０の後端部は、搬送管７５の第１鍔部８４よりも後方に位置する。カバー部材８０の前端部は、連結筒７６の第２鍔部８９よりも前方に位置する。カバー部材８０は、第１規制部９５と、第２規制部９６とを備える。
【００９５】
第１規制部９５は、カバー部材８０の後端部に位置する。第１規制部９５は、カバー部材８０の径方向内方に向かって突出する。第１規制部９５は、カバー部材８０の周方向に延びる。カバー部材８０は、板形状を有する。第１規制部９５の前面は、搬送管７５の第１鍔部８４の後面と向かい合う。なお、第１規制部９５の前面には、前後方向に圧縮される緩衝部材７９の弾性力により、搬送管７５の第１鍔部８４の後面が押圧される。
【００９６】
第２規制部９６は、カバー部材８０の前端部に位置する。第２規制部９６は、カバー部材８０の径方向内方に向かって突出する。第２規制部９６は、カバー部材８０の周方向に延びる。第２規制部９６は、板形状を有する。第２規制部９６の後面は、連結筒７６の第２鍔部８９の前面と向かい合う。なお、第２規制部９６の後面には、前後方向に圧縮される緩衝部材７９の弾性力により、連結筒７６の第２鍔部８９の前面が押圧される。
【００９７】
こうして、カバー部材８０および緩衝部材７９によって、連結筒７６が、搬送管７５に対して、接続される。
【００９８】
コイルばね８１は、搬送管７５および連結筒７６内に位置する。言い換えると、コイルばね８１は、少なくとも一部が、連結筒７６内に位置する。コイルばね８１は、伸縮可能である。コイルばね８１の後端部８１Ａは、搬送管７５の後端部に位置する。コイルばね８１の後端部８１Ａは、第１端部の一例である。コイルばね８１の後端部８１Ａは、搬送管７５の第１留め具８５と連結される。つまり、コイルばね８１の後端部８１Ａは、搬送管７５に回転可能に支持される。コイルばね８１の前端部８１Ｂは、連結筒７６の前端部に位置する。コイルばね８１の前端部８１Ｂは、前後方向において、後端部８１Ａと反対側の端部である。コイルばね８１の前端部８１Ｂは、第２端部の一例である。コイルばね８１の前端部８１Ｂは、連結筒７６の第２留め具９１と連結される。つまり、コイルばね８１の前端部８１Ｂは、連結筒７６に回転可能に支持される。これにより、コイルばね８１は、搬送管７５および連結筒７６内において、回転可能である。
【００９９】
（３−６）ギア列
ギア列６４は、図２および図４に示すように、現像器２４の右端部に位置する。ギア列６４は、現像ギア１００と、供給ギア１０１と、第１スクリューギア１０２と、第２スクリューギア１０３と、第１アイドルギア１０４と、第２アイドルギア１０５と、第３アイドルギア１０６と、第１ベベルギア１０７と、第２ベベルギア１０８とを備える。
【０１００】
現像ギア１００は、現像シャフト２５Ｂの右端部に固定される。現像ギア１００は、全周においてギア歯を有する。現像ギア１００は、現像シャフト２５Ｂとともに回転可能である。
【０１０１】
供給ギア１０１は、現像ギア１００の前下方に位置する。供給ギア１０１は、供給シャフト２６Ｂの右端部に固定される。供給ギア１０１は、全周においてギア歯を有する。供給ギア１０１は、供給シャフト２６Ｂとともに回転可能である。
【０１０２】
第１スクリューギア１０２は、図４に示すように、供給ギア１０１の上方に位置する。第１スクリューギア１０２は、第１スクリュー２９の軸の右端部に固定される。第１スクリューギア１０２は、全周においてギア歯を有する。第１スクリューギア１０２は、第１スクリュー２９とともに回転可能である。
【０１０３】
第２スクリューギア１０３は、第１スクリューギア１０２の前方に位置する。第２スクリューギア１０３は、第２スクリュー３０の軸の右端部に固定される。第２スクリューギア１０３は、全周においてギア歯を有する。第２スクリューギア１０３は、第２スクリュー３０とともに回転可能である。
【０１０４】
第１アイドルギア１０４は、現像ギア１００の前方、かつ、供給ギア１０１の後上方に位置する。第１アイドルギア１０４は、現像フレーム６２の側壁６５Ｒに回転可能に支持される。第１アイドルギア１０４は、全周においてギア歯を有する。第１アイドルギア１０４は、現像ギア１００および供給ギア１０１と噛み合う。
【０１０５】
第２アイドルギア１０５は、第１スクリューギア１０２の前下方、かつ、第２スクリューギア１０３の後下方に位置する。第２アイドルギア１０５は、現像フレーム６２の側壁６５Ｒに回転可能に支持される。第２アイドルギア１０５は、全周においてギア歯を有する。第２アイドルギア１０５は、第１スクリューギア１０２および第２スクリューギア１０３と噛み合う。
【０１０６】
第３アイドルギア１０６は、第１スクリューギア１０２の上方に位置する。第３アイドルギア１０６は、現像フレーム６２の側壁６５Ｒに回転可能に支持される。第３アイドルギア１０６は、全周においてギア歯を有する。第３アイドルギア１０６は、第１スクリューギア１０２と噛み合う。
【０１０７】
第１ベベルギア１０７は、第３アイドルギア１０６の前上方に位置する。第１ベベルギア１０７は、現像フレーム６２の側壁６５Ｒに回転可能に支持される。第１ベベルギア１０７は、図２に示すように、円柱部１０７Ａと、ベベル部１０７Ｂとを有する。
【０１０８】
円柱部１０７Ａは、第１ベベルギア１０７の左端部に位置する。円柱部１０７Ａは、左右方向に延びる。円柱部１０７Ａは、全周においてギア歯を有する。円柱部１０７Ａは、第３アイドルギア１０６と噛み合う。
【０１０９】
ベベル部１０７Ｂは、図２および図４に示すように、第１ベベルギア１０７の右端部に位置する。ベベル部１０７Ｂは、右方に向かうにつれて直径が小さくなる円錐形状を有する。ベベル部１０７Ｂは、円錐の周面においてギア歯を有する
第２ベベルギア１０８は、第１ベベルギア１０７の前右方、かつ、搬送部６３の後方に位置する。第２ベベルギア１０８は、搬送部６３の第１留め具８５の後端部に固定される。第２ベベルギア１０８は、後方に向かうにつれて直径が小さくなる円錐形状を有する。第２ベベルギア１０８は、円錐の周面においてギア歯を有する。第２ベベルギア１０８は、第１ベベルギア１０７のベベル部１０７Ｂと噛み合う。
【０１１０】
（４）現像器のドラムカートリッジに対する組み付け状態
上記したように、現像器２４は、図２および図３Ｂに示すように、現像カラー２５ＣＲが側壁４４Ｒの第１長穴５９に嵌まり、現像カラー２５ＣＬが側壁４４Ｌの第１長穴５９に嵌まり、供給カラー２６ＣＲが側壁４４Ｒの第２長穴６０に嵌まり、供給カラー２６ＣＬがドラムユニット１４の側壁４４Ｌの第２長穴６０に嵌まることで、ドラムユニット１４のフレーム４０に支持される。これにより、現像器２４は、第１長穴５９および第２長穴６０に沿って、前後方向に移動可能となる。つまり、現像器２４の搬送管７５の移動方向は、前後方向である。また、搬送管７５の移動方向は、感光ドラム１７と現像ローラ２５との並び方向と略同じ方向である。
【０１１１】
また、現像器２４の側壁６５Ｒの前下端部は、右方のばね６１の自由端の後面と接触する。現像器２４の側壁６５Ｌの前下端部は、左方のばね６１の自由端と接触する。これにより、現像器２４は、２つのばね６１によって、第１長穴５９および第２長穴６０に沿って、常には、後方に向けて押圧される。言い換えると、第１長穴５９および第２長穴６０の延びる方向が、ばね６１の押圧方向である。
【０１１２】
３．トナーカートリッジ
（１）トナーカートリッジの構成
トナーカートリッジ１５は、図５および図６に示すように、トナー収容部１１１と、供給部１１２と、ハンドルユニット１１３とを備える。
【０１１３】
（１−１）トナー収容部
トナー収容部１１１は、内部にトナーを収容する。トナー収容部１１１は、左右方向に延びる。トナー収容部１１１は、左右方向両端部が閉鎖された略円筒形状を有する。トナー収容部１１１は、段差部１１４と、アジテータ１１５を備える。
【０１１４】
段差部１１４は、トナー収容部１１１の右後端部に位置する。段差部１１４は、トナー収容部１１１の右後端部から、前左方に向かって窪む。
【０１１５】
アジテータ１１５は、アジテータ軸１１５Ａと、羽根１１５Ｂと、アジテータギア１１６とを備える。
【０１１６】
アジテータ軸１１５Ａは、左右方向から見て、トナー収容部１１１の中央に位置する。アジテータ軸１１５Ａは、左右方向に延びる。アジテータ軸１１５Ａは、円柱形状を有する。アジテータ軸１１５Ａの右端部は、トナー収容部１１１の右端部に回転可能に支持される。アジテータ軸１１５Ａの右端部は、トナー収容部１１１の右端部よりも右方に突出する。アジテータ軸１１５Ａの左端部は、トナー収容部１１１の左端部に回転可能に支持される。アジテータ軸１１５Ａの左端部は、トナー収容部１１１の左端部よりも左方に突出する。
【０１１７】
羽根１１５Ｂは、トナー収容部１１１内に位置する。羽根１１５Ｂは、アジテータ軸１１５Ａから、アジテータ１１５の径方向外方に延びる。羽根１１５Ｂは、トナー収容部１１１の内面に接触する。
【０１１８】
アジテータギア１１６は、トナー収容部１１１の左方に位置する。アジテータギア１１６は、アジテータ軸１１５Ａの左端部に固定される。アジテータギア１１６は、全周においてギア歯を有する。アジテータギア１１６は、アジテータ軸１１５Ａとともに回転可能である。
【０１１９】
（１−２）供給部
供給部１１２は、トナーカートリッジ１５の後端部に位置する。供給部１１２は、トナー収容部１１１に対して固定される。供給部１１２は、連通口１１８およびトナー供給口１２４を有する供給管１１７と、受入部１１９と、第２シャッタ１２０と、付勢部材１２１と、オーガスクリュー１２２とを備える。
【０１２０】
供給管１１７は、図１および図５に示すように、トナー収容部１１１の後方に位置する。供給管１１７は、左右方向に延びる。供給管１１７は、左右方向両端部が閉鎖された略円筒形状を有する、供給管１１７の右端部は、前後方向から見て、段差部１１４と重なる。
【０１２１】
連通口１１８は、供給管１１７の前端部、および、トナー収容部１１１の後上端部を前後方向に貫通する。連通口１１８は、左右方向に延びる。これにより、連通口１１８は、供給管１１７の前端部と、トナー収容部１１１の後上端部とを連通する。
【０１２２】
トナー供給口１２４は、図５および図６に示すように、供給管１１７の右端部に位置する。トナー供給口１２４は、供給管１１７の下方の周面を上下方向に貫通する。トナー供給口１２４は、底面視略矩形状を有する。
【０１２３】
受入部１１９は、供給管１１７の右下方に位置する。受入部１１９は、連通口１２７を有する外筒部１２５と、凹部の一例としての内筒部１２６と、閉鎖部１２３とを備える。
【０１２４】
外筒部１２５は、供給管１１７のトナー供給口１２４の下方に位置する。外筒部１２５の前端部は、トナー収容部１１１の段差部１１４内に位置する。外筒部１２５は、前後方向に延びる。外筒部１２５は、略円筒形状を有する。
【０１２５】
連通口１２７は、外筒部１２５の後端部に位置する。連通口１２７は、外筒部１２５の上方の周面を上下方向に貫通する。連通口１２７は、供給管１１７のトナー供給口１２４と上下方向において一致する。
【０１２６】
内筒部１２６は、図６に示すように、外筒部１２５の径方向内方に位置する。内筒部１２６は、前後方向に延びる。内筒部１２６は、円筒形状を有する。内筒部１２６の前後方向寸法は、外筒部１２５の前後方向寸法の略２／３である。内筒部１２６の前端部は、左右方向から見て、外筒部１２５の前端部と一致する。内筒部１２６の後面は、第１接触面１２８である。第１接触面１２８は、内筒部１２６の周方向に延びる。すなわち、第１接触面１２８は、搬送管７５の移動方向に対して、略直交する方向に延びる。
【０１２７】
また、内筒部１２６は、第２突出部の一例としての板ばね１２９を備える。
【０１２８】
板ばね１２９は、内筒部１２６の後端部に位置する。板ばね１２９は、内筒部１２６の内周面から、内筒部１２６の径方向内方に向かって突出する。
【０１２９】
閉鎖部１２３は、受入部１１９の前端部に位置する。閉鎖部１２３は、外筒部１２５の前端部と、内筒部１２６の前端部との間を閉鎖する。閉鎖部１２３は、外筒部１２５および内筒部１２６の周方向に延びる。閉鎖部１２３は、板形状を有する。
【０１３０】
第２シャッタ１２０は、外筒部１２５の径方向内方に位置する。第２シャッタ１２０は、前後方向に延びる。第２シャッタ１２０は、円筒形状を有する。第２シャッタ１２０の外径は、外筒部１２５の内径よりも小さい。第２シャッタ１２０の内径は、内筒部１２６の外径よりも大きい。第２シャッタ１２０は、トナー供給口１２４および連通口１２７を閉鎖する閉鎖位置（図６参照）と、閉鎖位置よりも前方であり、外筒部１２５と内筒部１２６との間に位置し、トナー供給口１２４および連通口１２７を開放する開放位置（図７参照）とに移動可能である。
【０１３１】
付勢部材１２１は、第２シャッタ１２０の前方に位置する。付勢部材１２１は、外筒部１２５と内筒部１２６との間に位置する。付勢部材１２１は、前後方向に延びるコイルばねである。付勢部材１２１の後端部は、第２シャッタ１２０の前端部と接触する。付勢部材１２１の前端部は、受入部１１９の閉鎖部１２３の後面と接触する。付勢部材１２１は、自然長の状態で、第２シャッタ１２０を閉鎖位置に位置させるように構成される。
【０１３２】
オーガスクリュー１２２は、図５および図６に示すように、供給管１１７内に位置する。オーガスクリュー１２２は、左右方向に延びる。オーガスクリュー１２２の左端部１２２Ａは、供給管１１７の左壁に回転可能に支持される。オーガスクリュー１２２の左端部１２２Ａは、供給管１１７の左壁よりも左方に突出する。オーガスクリュー１２２の右端部１２２Ｂは、供給管１１７の右壁に回転可能に支持される。オーガスクリュー１２２の右端部１２２Ｂは、左右方向において、左端部１２２Ａの反対側の端部である。オーガスクリュー１２２は、搬送ギア１３０を備える。
【０１３３】
搬送ギア１３０は、供給管１１７の左方に位置する。搬送ギア１３０は、オーガスクリュー１２２の左端部１２２Ａに固定される。搬送ギア１３０は、全周においてギア歯を有する。搬送ギア１３０は、オーガスクリュー１２２とともに回転可能である。搬送ギア１３０は、アジテータギア１１６と噛み合う。
【０１３４】
（１−３）ハンドルユニット
ハンドルユニット１１３は、図５および図６に示すように、トナーカートリッジ１５の前端部に位置する。ハンドルユニット１１３は、固定ハンドル１３１と、可動ハンドル１３２と、右方の連動部１３３Ｒと、左方の連動部１３３Ｌとを備える。
【０１３５】
固定ハンドル１３１は、第１グリップ１３５と、連動部１３３Ｒの後述する第１ロッド１６１が挿通される穴１４２を有する右方の第１壁１３６Ｒと、連動部１３３Ｌの後述する第１ロッド１６１が挿通される穴１４２を有する左方の第１壁１３６Ｌと、連動部１３３Ｒの後述する第１ロッド１６１が挿通される穴１４３を有する右方の第２壁１３７Ｒと、連動部１３３Ｌの後述する第１ロッド１６１が挿通される穴１４３を有する左方の第２壁１３７Ｌと、第１溝１４５、第２溝１４６および連動部１３３Ｒの後述する第２ロッド１６２が挿通される穴１４７を有する右方の第３壁１３８Ｒと、第１溝１４５、第２溝１４６および連動部１３３Ｌの後述する第２ロッド１６２が挿通される穴１４７を有する左方の第３壁１３８Ｌとを備える。
【０１３６】
第１グリップ１３５は、固定ハンドル１３１の前端部に位置する。第１グリップ１３５は、左右方向に延びる。第１グリップ１３５は、前方に突出する断面略半円形状を有する。
【０１３７】
第１壁１３６Ｒは、固定ハンドル１３１の右端部に位置する。第１壁１３６Ｒは、トナー収容部１１１の前端部から、前方に延びる。第１壁１３６Ｒは、前方に向かうにつれて、上下方向寸法が小さくなる側面視略三角形状を有する。第１壁１３６Ｒの前端部は、第１グリップ１３５の右端部に接続される。
【０１３８】
穴１４２は、第１壁１３６Ｒの後端部に位置する。穴１４２は、第１壁１３６Ｒを左右方向に貫通する。穴１４２は、側面視円形状を有する。
【０１３９】
第１壁１３６Ｌは、固定ハンドル１３１の左端部に位置する。第１壁１３６Ｒは、トナー収容部１１１の前端部から、前方に延びる。第１壁１３６Ｌは、左右方向に投影したときに、第１壁１３６Ｒと同一形状を有する。第１壁１３６Ｌの前端部は、第１グリップ１３５の左端部に接続される。
【０１４０】
第２壁１３７Ｒは、第１壁１３６Ｒの左方に位置する。第２壁１３７Ｒは、トナー収容部１１１の前端部から、前方に延びる。第２壁１３７Ｒは、左右方向に投影したときに、第１壁１３６Ｒと同一形状を有する。第２壁１３７Ｒの前端部は、第１グリップ１３５に接続される。
【０１４１】
穴１４３は、第２壁１３７Ｒの後端部に位置する。穴１４３は、第２壁１３７Ｒを左右方向に貫通する。穴１４３は、側面視略円形状を有する。穴１４３は、左右方向に投影したときに、第１壁１３６Ｒの穴１４２と一致する。
【０１４２】
第２壁１３７Ｌは、第１壁１３６Ｌの右方に位置する。第２壁１３７Ｌは、トナー収容部１１１の前端部から、前方に延びる。第２壁１３７Ｌは、左右方向に投影したときに、第２壁１３７Ｒと同一形状を有する。第２壁１３７Ｌの前端部は、第１グリップ１３５に接続される。
【０１４３】
第３壁１３８Ｒは、第２壁１３７Ｒの左方に位置する。第３壁１３８Ｒは、トナー収容部１１１の前端部から、前方に延びる。第３壁１３８Ｒは、左右方向に投影したときに、第１壁１３６Ｒと同一形状を有する。第３壁１３８Ｒの前端部は、第１グリップ１３５に接続される。
【０１４４】
第１溝１４５は、第３壁１３８Ｒの前端部に位置する。第１溝１４５は、第３壁１３８Ｒの左右方向内面から、左右方向外方に窪む。第１溝１４５は、前後方向に延びる。第１溝１４５は、側面視略矩形状を有する。
【０１４５】
第２溝１４６は、第１溝１４５の後方に位置する。第２溝１４６は、第３壁１３８Ｒの左右方向内面から、左右方向外方に窪む。第２溝１４６は、前後方向に延びる。第２溝１４６は、側面視略矩形状を有する。
【０１４６】
穴１４７は、第２溝１４６の前端部に位置する。穴１４７は、第３壁１３８Ｒを左右方向に貫通する。穴１４７は、側面視略矩形状を有する。
【０１４７】
第３壁１３８Ｌは、第２壁１３７Ｌの右方に位置する。第３壁１３８Ｌは、トナー収容部１１１の前端部から、前方に延びる。第３壁１３８Ｌは、左右方向に投影したときに、第１壁１３６Ｒと同一形状を有する。第３壁１３８Ｌの前端部は、第１グリップ１３５に接続される。
【０１４８】
可動ハンドル１３２は、図５に示すように、ハンドルユニット１１３の左右方向略中央に位置する。具体的には、左右方向において、第３壁１３８Ｒと、第３壁１３８Ｌとの間であり、前後方向において、トナー収容部１１１と、第１グリップ１３５との間に位置する。可動ハンドル１３２は、第２グリップ１４９と、右方のボス１５０Ｒと、左方のボス１５０Ｌと、連動部１３３Ｒの後述する第２ロッド１６２が挿通される穴１５６を有する右方の第４壁１５１Ｒと、連動部１３３Ｌの後述する第２ロッド１６２が挿通される穴１５６を有する左方の第４壁１５１Ｌと、連結部１５３と、２つの付勢部材１５４とを有する。
【０１４９】
第２グリップ１４９は、可動ハンドル１３２の前端部に位置する。第２グリップ１４９は、左右方向に延びる。第２グリップ１４９は、後方に突出する断面略半円形状を有する。
【０１５０】
ボス１５０Ｒは、第２グリップ１４９の右方に位置する。ボス１５０Ｒは、第２グリップ１４９の右端部から右方に突出する。ボス１５０Ｒは、円柱形状を有する。ボス１５０Ｒは、第３壁１３８Ｒの第１溝１４５に嵌まる。
【０１５１】
ボス１５０Ｌは、第２グリップ１４９の左方に位置する。ボス１５０Ｌは、第２グリップ１４９の左端部から左方に突出する。ボス１５０Ｌは、第３壁１３８Ｌの第１溝１４５に嵌まる。
【０１５２】
第４壁１５１Ｒは、図５および図８に示すように、可動ハンドル１３２の右端部に位置する。第４壁１５１Ｒは、第３壁１３８Ｒの左方に位置する。第４壁１５１Ｒは、前後方向に延びる。第４壁１５１Ｒは、板形状を有する。第４壁１５１Ｒの前端部は、第２グリップ１４９の右端部に接続される。第４壁１５１Ｒは、傾斜部１５７を有する。
【０１５３】
傾斜部１５７は、第４壁１５１Ｒの後端部に位置する。傾斜部１５７は、第４壁１５１Ｒの左右方向内面から、後方に向かうにつれて、左右方向内方に傾斜する。
【０１５４】
穴１５６は、図５に示すように、第４壁１５１Ｒの後方部分に位置する。穴１５６は、第４壁１５１Ｒを左右方向に貫通する。穴１５６は、側面視略矩形状を有する。穴１５６は、傾斜部１５７と重なる。
【０１５５】
第４壁１５１Ｌは、図５および図８に示されるように、可動ハンドル１３２の左端部に位置する。第４壁１５１Ｌは、第３壁１３８Ｌの右方に位置する。第４壁１５１Ｌは、前後方向に延びる。第４壁１５１Ｌは、板形状を有する。第４壁１５１Ｌの前端部は、第２グリップ１４９の左端部に接続される。第４壁１５１Ｌは、第４壁１５１Ｒと同様に、傾斜部１５７を有する。
【０１５６】
連結部１５３は、図５に示すように、可動ハンドル１３２の後端部に位置する。連結部１５３は、左右方向に延びる。連結部１５３は、円柱形状を有する。連結部１５３は、第４壁１５１Ｒの後端部と、第４壁１５１Ｌの後端部とに接続される。連結部１５３の右端部は、第４壁１５１Ｒよりも右方に突出する。連結部１５３の右端部は、第３壁１３８Ｒの第２溝１４６に嵌まる。連結部１５３の左端部は、第４壁１５１Ｌよりも左方に突出する。連結部１５３の左端部は、第３壁１３８Ｌの第２溝１４６に嵌まる。
【０１５７】
２つの付勢部材１５４は、第２グリップ１４９と、固定ハンドル１３１の第１グリップ１３５との間に位置する。２つの付勢部材１５４は、互いに左右方向に間隔を隔てて位置する。付勢部材１５４は、前後方向に延びるコイルばねである。付勢部材１５４の前端部は、第１グリップ１３５の後面と接触する。付勢部材１５４の後端部は、第２グリップ１４９の前面と接触する。付勢部材１５４は、可動ハンドル１３２を、第１グリップ１３５から離れるように、常には後方に付勢する。
【０１５８】
こうして、可動ハンドル１３２は、付勢部材１５４の付勢力により、ボス１５０Ｒが第３壁１３８Ｒの第１溝１４５の後端部に位置し、ボス１５０Ｌが第３壁１３８Ｌの第１溝１４５の後端部に位置し、連結部１５３の右端部が第３壁１３８Ｒの第２溝１４６の後端部に位置し、連結部１５３の左端部が第３壁１３８Ｌの第２溝１４６の後端部に位置する第１位置（図８参照）と、付勢部材１５４の付勢力に抗して、ボス１５０Ｒが第３壁１３８Ｒの第１溝１４５の前端部に位置し、ボス１５０Ｌが第３壁１３８Ｌの第１溝１４５の前端部に位置し、連結部１５３の右端部が第３壁１３８Ｒの第２溝１４６の前端部に位置し、連結部１５３の左端部が第３壁１３８Ｌの第２溝１４６の前端部に位置する第２位置（図９参照）とに移動可能である。
【０１５９】
連動部１３３Ｒは、図５に示すように、ハンドルユニット１１３の右端部に位置する。連動部１３３Ｒは、固定部の一例としての第１ロッド１６１と、第２ロッド１６２と、接続部１６３と、付勢部材１６４とを備える。
【０１６０】
第１ロッド１６１は、連動部１３３Ｒの後端部に位置する。第１ロッド１６１は、左右方向に延びる。第１ロッド１６１は、円柱形状を有する。第１ロッド１６１の左右方向外方端部は、左右方向内方に向かうにつれて、後方に傾斜するように切り欠かれる。第１ロッド１６１は、第１壁１３６Ｒの穴１４２と、第２壁１３７Ｒの穴１４３とに挿通される。第１ロッド１６１の左右方向外端部は、第１壁１３６Ｒよりも左右方向外方に位置する。第１ロッド１６１の左右方向外端部における前方の周面が、固定面１６６である。固定面１６６は、左右方向に延びる。言い換えると、すなわち、固定面１６６は、搬送管７５の移動方向に対して、略直交する方向に延びる。第１ロッド１６１の左右方向内端部は、第２壁１３７Ｒと、第３壁１３８Ｒとの間に位置する。
【０１６１】
第２ロッド１６２は、連動部１３３Ｒの前端部に位置する。第２ロッド１６２は、左右方向に延びる。第２ロッド１６２は、略角柱形状を有する。第２ロッド１６２は、第３壁１３８Ｒの穴１４７と、可動ハンドル１３２の第４壁１５１Ｒの穴１５６とに挿通される。第２ロッド１６２の左右方向外端部は、第２壁１３７Ｒと、第３壁１３８Ｒとの間に位置する。第２ロッド１６２の左右方向内端部は、可動ハンドル１３２の第４壁１５１Ｒよりも左右方向内方に位置する。第２ロッド１６２は、ボス１６７を有する。
【０１６２】
ボス１６７は、第２ロッド１６２の左右方向内端部に位置する。ボス１６７は、上下方向に延びる。ボス１６７は、円柱形状を有する。ボス１６７の上下方向寸法は、第４壁１５１Ｒの穴１５６の上下方向寸法よりも大きい。
【０１６３】
接続部１６３は、第１ロッド１６１の左右方向内端部と、第２ロッド１６２の左右方向外端部とを接続する。接続部１６３は、板形状を有する。接続部１６３は、後方に向かうにつれて、左右方向外方に傾斜する。
【０１６４】
付勢部材１６４は、第１ロッド１６１の左右方向内端部に位置する。付勢部材１６４は、左右方向に延びるコイルばねである。付勢部材１６４の左右方向外端部は、第１ロッド１６１の左右方向外端部に固定される。付勢部材１６４の左右方向内端部は、第３壁１３８Ｒの左右方向外面に固定される。付勢部材１６４は、連動部１３３Ｒを、常には、左右方向外方に付勢する。
【０１６５】
こうして、連動部１３３Ｒは、付勢部材１６４の付勢力により、接続部１６３の左右方向外方における後端部が、第２壁１３７Ｒと接触し、第１ロッド１６１の左右方向外端部が、第１壁１３６Ｒよりも左右方向外方に位置するロック位置（図８参照）と、付勢部材１６４の付勢力に抗して、接続部１６３の左右方向外方における後端部が、第２壁１３７Ｒから離間し、第１ロッド１６１の左右方向外方端部が、上下方向に投影したときに第１壁１３６Ｒと重なる位置に位置するロック解除位置（図９参照）とに移動可能である。
【０１６６】
連動部１３３Ｌは、ハンドルユニット１１３の左端部に位置する。連動部１３３Ｌは、連動部１３３Ｒと同様の形状を有する。
【０１６７】
なお、連動部１３３Ｌがロック位置に位置するときには、図８に示すように、連動部１３３Ｌの第１ロッド１６１の左右方向外端部が、アジテータギア１１６よりも左右方向外方に位置する。また、連動部１３３Ｌがロック解除位置に位置するときには、図９に示すように、連動部１３３Ｌの第１ロッド１６１の左右方向外端部が、上下方向に投影したときに、アジテータギア１１６と重なる。
【０１６８】
（２）トナーカートリッジの装着状態
トナーカートリッジ１５は、図７に示すように、トナーカートリッジ装着部５７に装着された状態で、隔壁４７の前方に位置する。言い換えると、隔壁４７は、トナーカートリッジ１５と、現像器２４との間に位置する。
【０１６９】
このとき、アジテータ軸１１５Ａの右端部は、図８に示すように、ドラムユニット１４の側壁４４Ｒの第２溝５２の後端部に嵌まる。アジテータ軸１１５Ａの左端部は、ドラムユニット１４の側壁４４Ｌの第２溝５２の後端部に嵌まる。
【０１７０】
また、連動部１３３Ｒの第１ロッド１６１は、側壁４４Ｒの固定穴５０に嵌まる。そして、連動部１３３Ｒの第１ロッド１６１の固定面１６６が固定穴５０の内周面と接触する。連動部１３３Ｌの第１ロッド１６１は、側壁４４Ｌの固定穴５０に嵌まる。そして、連動部１３３Ｌの第１ロッド１６１の固定面１６６が固定穴５０の内周面と接触する。
【０１７１】
また、供給部１１２は、図７に示すように、隔壁４７の挿通穴５５を介して、隔壁４７の後方に突出する。供給部１１２の受入部１１９は、現像器２４の搬送部６３の連結筒７６と連結される。
【０１７２】
搬送部６３の連結筒７６の凸部９０は、受入部１１９の内筒部１２６に嵌まる。凸部９０の突出部９３は、内筒部１２６の板ばね１２９よりも前方に位置する。これにより、板ばね１２９は、連結筒７６が、受入部１１９に対して後方に移動することを規制する。
【０１７３】
また、連結筒７６の第２接触面８８が、受入部１１９の内筒部１２６の第１接触面１２８と接触する。これにより、第１接触面１２８は、連結筒７６が、受入部１１９に対して前方に移動することを規制する。
【０１７４】
また、このとき、第１シャッタ７７は、受入部１１９の外筒部１２５に接触し、付勢部材７８の付勢力に抗して、開放位置に位置する。
【０１７５】
また、第２シャッタ１２０は、連結筒７６の第２接触面８８に接触し、付勢部材１２１の付勢力に抗して、開放位置に位置する。
【０１７６】
そして、受入部１１９と連結筒７６とが連結された状態で、受入部１１９のトナー供給口１２４および連通口１２７は、連結筒７６のトナー受入口８７と向かい合う。
【０１７７】
４．装置本体の詳細
装置本体２は、図１１に示すように、受入溝１７１を有する右方の側壁１７０と、受入溝１７１を有する図示しない左方の側壁と、２つの離間部材１７２とを備える。
【０１７８】
側壁１７０は、装置本体２の右端部に位置する。側壁１７０は、上下方向および前後方向に延びる。側壁１７０は、板形状を有する。
【０１７９】
受入溝１７１は、側壁１７０の左右方向内面から左右方向外方に向かって窪む。受入溝１７１は、開口部９から、後下方に向かって延びる。
【０１８０】
図示しない側壁は、装置本体２の左端部に位置する。図示しない側壁は、側壁１７０と同様に、左右方向内面に受入溝１７１を有する。
【０１８１】
そして、側壁１７０および図示しない側壁の受入溝１７１は、プロセスカートリッジ３の感光ドラム１７のドラム軸１７Ｂを受け入れる。
【０１８２】
これにより、装置本体２は、プロセスカートリッジ３を支持する。
【０１８３】
２つの離間部材１７２は、左右方向から見て、受入溝１７１の後下端部の前方に位置する。２つの離間部材１７２は、図２に示すように、左右方向に間隔を隔てて位置する。離間部材１７２は、図３Ｂに示すように、上下方向に延びる。離間部材１７２は、略角柱形状を有する。離間部材１７２は、離間部材１７２の下端部を支点として回動可能である。左方の離間部材１７２の上端部は、供給ローラ２６の供給カラー２６ＣＬの前端部に向かい合う。また、図２に示すように、右方の離間部材１７２の上端部は、供給カラー２６ＣＲの前端部と向かい合う。
【０１８４】
５．トナーカートリッジおよびプロセスカートリッジの着脱動作
トナーカートリッジ１５は、ドラムユニット１４が装置本体２に装着された状態、または、ドラムユニット１４が装置本体２から離脱された状態のいずれであっても、ドラムユニット１４に対して着脱可能である。
【０１８５】
以下の説明において、ドラムユニット１４が装置本体２に装着された状態におけるトナーカートリッジ１５の着脱動作について、説明する。
【０１８６】
（１）トナーカートリッジの離脱
トナーカートリッジ１５をドラムユニット１４から離脱するときには、作業者は、図１０に示すように、装置本体２のフロントカバー１０を開位置に位置させる。
【０１８７】
次いで、作業者は、ハンドルユニット１１３の固定ハンドル１３１の第１グリップ１３５と、可動ハンドル１３２の第２グリップ１４９とを一体として把持する。
【０１８８】
このとき、作業者は、図８および図９に示すように、付勢部材１５４の付勢力に抗して、可動ハンドル１３２の第２グリップ１４９を固定ハンドル１３１の第１グリップ１３５に近づけ、可動ハンドル１３２を、第１位置から第２位置に移動させる。
【０１８９】
すると、連動部１３３Ｒのボス１６７が、第４壁１５１Ｒの傾斜部１５７に乗り上げるようにして、左方に移動する。また、連動部１３３Ｌのボス１６７が、第４壁１５１Ｌの傾斜部１５７に乗り上げるようにして、右方に移動する。
【０１９０】
これにより、連動部１３３Ｒおよび連動部１３３Ｌは、付勢部材１６４の付勢力に抗して、ロック位置からロック解除位置に移動する。
【０１９１】
すると、側壁４４Ｒの固定穴５０から、連動部１３３Ｒの第１ロッド１６１が抜ける。また、左方の側壁４４Ｌの固定穴５０から、連動部１３３Ｌの第１ロッド１６１が抜ける。
【０１９２】
こうして、第１ロッド１６１の固定面１６６の、固定穴５０の内周面との接触が解除される。
【０１９３】
そして、作業者は、図１０に示すように、トナーカートリッジ１５をドラムユニット１４から前上方へ引き抜く。
【０１９４】
これにより、トナーカートリッジ１５がドラムユニット１４から離脱される。
【０１９５】
また、トナーカートリッジ１５の現像器２４に対する連結が解除されることにより、第１シャッタ７７は、図４に示すように、付勢部材７８の付勢力により、閉鎖位置に位置し、トナー受入口８７を閉鎖する。また、第２シャッタ１２０は、図６に示すように、付勢部材１２１の付勢力により、閉鎖位置に位置し、トナー供給口１２４および連通口１２７を閉鎖する。
【０１９６】
（２）トナーカートリッジの装着
トナーカートリッジ１５をドラムユニット１４に装着するには、図１０に示すように、フロントカバー１０を開位置に位置させる。
【０１９７】
そして、アジテータ軸１１５Ａをガイド部４９の第１溝５１および第２溝５２に沿うようにして、トナーカートリッジ１５をトナーカートリッジ装着部５７に装着する。
【０１９８】
このとき、作業者は、供給部１１２を挿通穴５５に挿入する。
【０１９９】
そして、供給部１１２の受入部１１９を、搬送部６３の連結筒７６に連結させる。具体的には、図７に示すように、受入部１１９の内筒部１２６に、連結筒７６の凸部９０を挿入する。
【０２００】
すると、凸部９０の突出部９３が、内筒部１２６の板ばね１２９を乗り越え、板ばね１２９よりも前方に位置する。
【０２０１】
また、受入部１１９と連結筒７６とが連結することにより、第１シャッタ７７の前端部が受入部１１９の外筒部１２５の後端部と接触する。これにより、第１シャッタ７７が開放位置に位置する。
【０２０２】
また、受入部１１９と連結筒７６とが連結することにより、第２シャッタ１２０の後端部が搬送部６３の連結筒７６の第２接触面８８と接触する。これにより、第２シャッタ１２０が開放位置に位置する。
【０２０３】
そして、フロントカバー１０を閉位置に位置させる。
【０２０４】
これにより、図１に示すように、トナーカートリッジ１５がドラムユニット１４に装着される。
【０２０５】
６．プロセスカートリッジの着脱動作
（１）プロセスカートリッジの離脱
プロセスカートリッジ３を装置本体２から離脱するときには、作業者は、図１１に示すように、装置本体２のフロントカバー１０を開位置に位置させる。
【０２０６】
次いで、ドラムハンドル４２を把持して、プロセスカートリッジ３を装置本体２から前上方に引き出す。
【０２０７】
これにより、プロセスカートリッジ３が、受入溝１７１に沿って移動し、プロセスカートリッジ３が装置本体２から離脱される。
【０２０８】
（２）プロセスカートリッジの装着
プロセスカートリッジ３を装置本体２に装着するときには、作業者は、フロントカバー１０を開位置に位置させた後、プロセスカートリッジ３を装置本体２内に挿入する。
【０２０９】
このとき、プロセスカートリッジ３の感光ドラム１７のドラム軸１７Ｂが、受入溝１７１に沿うようにして、装着する。
【０２１０】
そして、作業者は、フロントカバー１０を閉位置に位置させる。
【０２１１】
これにより、プロセスカートリッジ３が装置本体２に装着される。
【０２１２】
７．画像形成動作
図１に示すように、画像形成装置１が画像形成動作を開始すると、帯電ローラ１９は、感光ドラム１７の表面を一様に帯電する。スキャナユニット７は、レーザービームＬを出射し、感光ドラム１７の表面を露光する。これにより、画像データに基づく静電潜像が、感光ドラム１７の表面に形成され、担持される。
【０２１３】
また、図５および図７に示すように、トナーカートリッジ１５では、アジテータ１１５が、トナー収容部１１１内のトナーを撹拌し、連通口１１８を介して、トナーを供給部１１２の供給管１１７に搬送する。
【０２１４】
次いで、オーガスクリュー１２２は、搬送ギア１３０に駆動力が入力されることにより回転し、供給管１１７内のトナーを、供給管１１７の右端部まで搬送する。
【０２１５】
そして、図７に示すように、トナーは、トナー供給口１２４、連通口１２７、および、トナー受入口８７を介して、連結筒７６に供給される。
【０２１６】
次いで、コイルばね８１は、ギア列６４に駆動力が入力されることにより、回転し、連結筒７６内のトナーを、搬送管７５の後端部まで搬送する。
【０２１７】
そして、トナーは、図３Ａおよび図７に示すように、第２連通口８３および第１連通口７３を介して、現像器２４のトナー収容部２８に供給される。
【０２１８】
次いで、図１および図３Ａに示すように、第２スクリュー３０は、トナー収容部２８内のトナーを左右方向に搬送する。トナー収容部２８内のトナーは、左右方向における区画壁７０の両端部に設けられた開口を通過して、現像部３１に供給される。
【０２１９】
第１スクリュー２９は、現像部３１内のトナーを左右方向に搬送する。現像部３１内のトナーは、供給ローラ２６に供給される。
【０２２０】
そして、供給ローラ２６は、現像部３１内のトナーを現像ローラ２５に供給する。このとき、トナーは、現像ローラ２５と供給ローラ２６との間で正極性に摩擦帯電され、現像ローラ２５に担持される。層厚規制ブレード２７は、現像ローラ２５に担持されたトナーの層厚を一定厚さに規制する。
【０２２１】
そして、現像ローラ２５に担持されたトナーは、感光ドラム１７表面の静電潜像に供給される。これにより、トナー像が、感光ドラム１７の表面に担持される。
【０２２２】
用紙Ｐは、図１に示すように、給紙トレイ１１から、所定のタイミングで１枚ずつ、感光ドラム１７と転写ローラ１８との間に給紙される。感光ドラム１７表面のトナー像は、用紙Ｐが感光ドラム１７と転写ローラ１８との間を通過するときに、用紙Ｐに転写される。
【０２２３】
次いで、用紙Ｐは、加熱ローラ３２と加圧ローラ３３との間を通過するときに加熱および加圧される。これにより、用紙Ｐ上のトナー像は、用紙Ｐに熱定着される。
【０２２４】
その後、用紙Ｐは、排紙トレイ１２に積載される。
【０２２５】
なお、上記した画像形成動作において、図３Ｂおよび図７に示すように、感光ドラム１７および現像ローラ２５の回転により、感光ドラム１７に対して、現像器２４が移動する。現像器２４は、第１長穴５９および第２長穴６０に沿って、前後方向に移動する。
【０２２６】
このとき、受入部１１９と、連結筒７６とが連結していることにより、現像器２４において、連結筒７６は移動せず、搬送管７５が前後方向に移動する。
【０２２７】
すると、現像器２４の緩衝部材７９は、前後方向において圧縮されるように変形する。そのため、現像器２４の搬送管７５は、トナー供給口１２４がトナー受入口８７と向かい合った状態で、現像器２４の連結筒７６に対して移動する。
【０２２８】
８．感光ドラムと現像ローラとの接離動作
また、図３Ａおよび図３Ｂに示すように、離間部材１７２は、クリーニング動作、ウォームアップ動作時などに、下端部を支点として左側面視時計回りに回動する。
【０２２９】
これにより、離間部材１７２は、供給ローラ２６の供給カラー２６ＣＲおよび供給カラー２６ＣＬを前方に押圧する。すると、現像器２４が、ばね６１の付勢力に抗して、第１長穴５９および第２長穴６０に沿って前方に移動する。現像器２４は、現像ローラ２５が感光ドラム１７と接触する接触位置から、現像ローラ２５が感光ドラム１７から離間する離間位置へと移動する。
【０２３０】
なお、現像ローラ２５が感光ドラム１７から離間するときには、受入部１１９と、連結筒７６とが連結していることにより、現像器２４において、連結筒７６は移動せず、搬送管７５が前方に移動する。
【０２３１】
このとき、現像器２４の緩衝部材７９は、図７に示すように、前後方向において圧縮されるように変形する。そのため、現像器２４の搬送管７５は、トナー供給口１２４がトナー受入口８７と向かい合った状態で、現像器２４の連結筒７６に対して移動する。
【０２３２】
９．作用効果
（１）画像形成装置１およびドラムユニット１４によれば、図７に示すように、現像器２４の搬送管７５は、トナー供給口１２４が、トナー受入口８７と向かい合った状態で、現像器２４の連結筒７６に対して移動可能となる。
【０２３３】
このような構成によれば、感光ドラム１７に対する現像フレーム６２の移動に伴い、搬送管７５が、連結筒７６に対して移動する。
【０２３４】
そのため、感光ドラム１７に対して、現像フレーム６２が移動したときに、トナー供給口１２４と、トナー受入口８７とがずれない。その結果、トナーカートリッジ１５と現像器２４との間のトナー漏れを抑制することができる。
【０２３５】
また、感光ドラム１７に対して現像フレーム６２が移動したときに、搬送管７５は、トナーカートリッジ１５に対して移動する。その結果、トナーカートリッジ１５内のトナー容量が多い場合でも、現像器２４を安定して揺動させることができる。
【０２３６】
（２）画像形成装置１によれば、図７に示すように、ばね６１は、現像フレーム６２を後方に押圧するので、現像器２４において、搬送管７５を、ばね６１の押圧に合わせて移動させることができる。
【０２３７】
（３）画像形成装置１によれば、図３Ａおよび図３Ｂに示すように、前後方向に延びる第１長穴５９および第２長穴６０によって、現像器２４をガイドすることができる。
【０２３８】
そして、ばね６１は、現像フレーム６２を後方に押圧するので、第１長穴５９および第２長穴６０によって、搬送管７５を、確実に前後方向に沿って移動させることができる。
【０２３９】
その結果、感光ドラム１７に対して、現像ローラ２５を安定して接触させることができる。
【０２４０】
（４）画像形成装置１は、図２および図３Ｂに示すように、前後方向に沿って、現像器２４を接触位置から離間位置に移動させる離間部材１７２を備える。
【０２４１】
そして、離間部材１７２によって、感光ドラム１７から現像ローラ２５を離間させるときであっても、トナー供給口１２４および連通口１２７と、トナー受入口８７とが向かい合った状態を維持し、トナーカートリッジ１５と現像器２４との間のトナー漏れを抑制することができる。
【０２４２】
（５）画像形成装置１によれば、図７に示すように、緩衝部材７９の変形によって、連結筒７６に対する搬送管７５の移動を許容することができる。
【０２４３】
（６）画像形成装置１によれば、図７に示すように、緩衝部材７９によって、連結筒７６に対する搬送管７５の前後方向への移動を許容することができる。
【０２４４】
（７）画像形成装置１によれば、図７に示すように、搬送管７５と連結筒７６との間のトナー漏れを、緩衝部材７９によって確実に抑制することができる。
【０２４５】
（８）画像形成装置１によれば、図７に示すように、緩衝部材７９がウレタンフォームであるため、連結筒７６に対する搬送管７５の移動を許容するとともに、搬送管７５と連結筒７６との間のトナー漏れを抑制することができる。
【０２４６】
（９）画像形成装置１によれば、図７に示すように、緩衝部材７９を搬送管７５の第１鍔部８４の第１接着面８６に接着することにより、緩衝部材７９を、搬送管７５の第１鍔部８４に対して隙間なく接触させた状態で、変形させることができる。
【０２４７】
その結果、搬送管７５と緩衝部材７９との間のトナー漏れを抑制することができる。
【０２４８】
（１０）画像形成装置１によれば、図７に示すように、第１接着面８６は、搬送管７５の移動方向と略直交する方向に延びる。
【０２４９】
そのため、緩衝部材７９が、搬送管７５の移動によって、搬送管７５から剥離することを抑制することができる。
【０２５０】
従って、搬送管７５と緩衝部材７９との間のトナー漏れを確実に抑制することができる。
【０２５１】
（１１）画像形成装置１によれば、図７に示すように、緩衝部材７９を、第２鍔部８９の第２接着面９２に接着することにより、緩衝部材７９を、連結筒７６の第２鍔部８９に対して隙間なく接触させた状態で、変形させることができる。
【０２５２】
そのため、連結筒７６と緩衝部材７９との間のトナー漏れを抑制することができる。
【０２５３】
（１２）画像形成装置１によれば、図７に示すように、第２接着面９２は、搬送管７５の移動方向と略直交する方向に延びる。
【０２５４】
そのため、緩衝部材７９が、搬送管７５の移動によって、連結筒７６から剥離することを抑制することができる。
【０２５５】
従って、連結筒７６と緩衝部材７９との間のトナー漏れを確実に抑制することができる。
【０２５６】
（１３）画像形成装置１によれば、図７に示すように、連結筒７６が前後方向に延びる略円筒形状を有するので、簡易な構成により、トナーを前後方向に搬送することができる。
【０２５７】
（１４）画像形成装置１によれば、図７に示すように、コイルばね８１が連結筒７６の内部と搬送管７５の内部とにわたって位置することにより、確実に、トナーを搬送管７５まで搬送することができる。
【０２５８】
（１５）画像形成装置１によれば、図７に示すように、連結筒７６に対して、搬送管７５が移動するときに、コイルばね８１を弾性的に変形させることができる。
【０２５９】
そのため、搬送管７５を円滑に移動させることができながら、連結筒７６内のトナーをコイルばね８１によって搬送することができる。
【０２６０】
（１６）画像形成装置１によれば、図７に示すように、コイルばね８１の後端部８１Ａが搬送管７５の後端部に支持され、コイルばね８１の前端部８１Ｂが連結筒７６の前端部に支持されることにより、コイルばね８１によって、連結筒７６から搬送管７５まで、トナーを確実に搬送することができる。
【０２６１】
（１７）画像形成装置１によれば、図７に示すように、受入部１１９の第１接触面１２８に対して、連結筒７６の第２接触面８８を接触させることで、連結筒７６をトナーカートリッジ１５に対して、確実に連結することができる。
【０２６２】
（１８）画像形成装置１によれば、図７に示すように、受入部１１９の第１接触面１２８が、搬送管７５の移動方向と略直交する方向に延びている。
【０２６３】
そのため、受入部１１９の第１接触面１２８に対して、連結筒７６を安定して接触させることができる。
【０２６４】
（１９）画像形成装置１によれば、図７に示すように、連結筒７６の第２接触面８８は、搬送管７５の移動方向と略直交する方向に延びている。
【０２６５】
そのため、連結筒７６の第２接触面８８に対して、受入部１１９を安定して接触させることができる。
【０２６６】
（２０）画像形成装置１によれば、図７に示すように、内筒部１２６に対して凸部９０を係合させて、突出部９３と板ばね１２９とを向かい合わせることにより、連結筒７６の受入部１１９に対する移動を規制することができる。
【０２６７】
その結果、トナー供給口１２４および連通口１２７と、トナー受入口８７とを確実に向かい合わせた状態を維持することができる。
【０２６８】
（２１）画像形成装置１によれば、図７に示すように、トナーカートリッジ１５を所定のトナーカートリッジ装着部５７に装着することができる。
【０２６９】
（２２）画像形成装置１によれば、図８に示すように、トナーカートリッジ１５のハンドルユニット１１３の第１ロッド１６１を、トナーカートリッジ装着部５７の固定穴５０に嵌めることにより、トナーカートリッジ１５をトナーカートリッジ装着部５７に固定することができる。
【０２７０】
（２３）画像形成装置１によれば、図８に示すように、第１ロッド１６１の固定面１６６が搬送管７５と直交する方向に延びているので、固定面１６６を固定穴５０の内周面と接触させて、トナーカートリッジ１５が、前方に移動することを抑制することができる。
【０２７１】
そのため、トナーカートリッジ１５が現像器２４から押されても、トナーカートリッジ装着部５７から外れることを抑制することができる。
【０２７２】
（２４）画像形成装置１によれば、図７に示すように、トナーカートリッジ１５を、トナーカートリッジ装着部５７に対して装着することができながら、隔壁４７の切欠き５６を介して、連結筒７６を、トナーカートリッジ１５に対して確実に連結させることができる。
【０２７３】
（２５）画像形成装置１によれば、図３Ａに示すように、トナーカートリッジ装着部５７のガイド部４９の第２溝５２が、前後方向に延びる直線部分を有しているので、トナーカートリッジ１５をトナーカートリッジ装着部５７に対して、前後方向に沿って装着することができる。
【０２７４】
そのため、トナーカートリッジ１５を装着するときに、トナーカートリッジ１５の供給部１１２の受入部１１９を現像器２４の連結筒７６に対して、前後方向に沿って円滑に連結することができる。
【０２７５】
（２６）画像形成装置１によれば、図７に示すように、感光ドラム１７と現像ローラ２５との並び方向と、搬送管７５の移動方向とは略同じ方向である。
【０２７６】
そのため、感光ドラム１７と現像ローラ２５との並び方向において、連結筒７６に対して、搬送管７５を移動させることができる。
【０２７７】
その結果、感光ドラム１７と現像ローラ２５との並び方向において、感光ドラム１７に対して現像ローラ２５が移動するときに、トナー供給口１２４と、トナー受入口８７とが向かい合った状態を維持して、搬送管７５を、連結筒７６に対して移動させることができる。
【０２７８】
１０．変形例
本発明は、上記した実施形態に限定されない。例えば、上記した実施形態では、トナーカートリッジ１５の受入部１１９は、連通口１２７を有する外筒部１２５と、内筒部１２６とを備えるが、受入部１１９が、連通口１２７を有する外筒部１２５を備えず、内筒部１２６のみから構成することもできる。このような場合には、受入部１１９の内筒部１２６に対して、現像器２４の連結筒７６が連結することにより、トナー供給口１２４と、トナー受入口８７とが向かい合う。
【０２７９】
また、上記した実施形態では、隔壁４７は、挿通穴５５と、切欠き５６とを備えるが、隔壁４７が、切欠き５６を備えず、挿通穴５５のみを備えることもできる。
【０２８０】
また、上記した実施形態では、ドラムユニット１４は、装置本体２に対して、着脱可能に構成されるが、装置本体２に対して、着脱不能に構成することもできる。
【０２８１】
また、上記した実施形態では、現像器２４は、ドラムユニット１４に対して、着脱不能に構成されるが、ドラムユニット１４に対して、着脱可能に構成することもできる。
【０２８２】
また、ばね６１は、２つに限定されず、１つであってもよく、３つ以上であってもよい。
【０２８３】
また、離間部材１７２は、２つに限定されず、１つであってもよい。
【符号の説明】
【０２８４】
１        画像形成装置
１４      ドラムユニット
１５      トナーカートリッジ
１７      感光ドラム
２４      現像器
２５      現像ローラ
４０      フレーム
４７      隔壁
５０      固定穴
５２      第２溝
５５      挿通穴
５９      第１長穴
６０      第２長穴
６１      ばね
７５      搬送管
７６      連結筒
７７      第１シャッタ
７９      緩衝部材
８１      コイルばね
８１Ａ    後端部
８１Ｂ    前端部
８６      第１接着面
８７      トナー受入口
８８      第２接触面
９０      凸部
９２      第２接着面
９３      突出部
１１９    受入部
１２４    トナー供給口
１２６    内筒部
１２８    第１接触面
１２９    板ばね
１６１    第１ロッド
１６６    固定面
１７２    離間部材
【図１】
2017072704.tif 000003
【図２】
2017072704.tif 000004
【図３】
2017072704.tif 000005
【図４】
2017072704.tif 000006
【図５】
2017072704.tif 000007
【図６】
2017072704.tif 000008
【図７】
2017072704.tif 000009
【図８】
2017072704.tif 000010
【図９】
2017072704.tif 000011
【図１０】
2017072704.tif 000012
【図１１】
2017072704.tif 000013